(57)【特許請求の範囲】
【請求項１】
第１、第２の磁性体シートからなる磁性体と、前記磁性体の両端面に形成された複数の外部電極と、前記第１の磁性体シートに設けられた第１の内部導体および第２の内部導体と、前記第１の磁性体シートの端部に前記外部電極と前記第１、第２の内部導体の各一端とを接続する引出電極とを有し、前記第１の磁性体シートに設けられた前記第１、第２の内部導体はそれぞれ１ターン以上の渦巻き状で前記第１の内部導体の内側に前記第２の内部導体が互いに短絡しないように設けられ、かつ第１の内部導体の他端は第２の内部導体の他端近傍に備えられ、前記第１の内部導体の上面に、前記第２の磁性体シートを介して前記第１の内部導体と接続されたスパイラル状の第３の内部導体のみが、下面には前記第２の内部導体と接続されたスパイラル状の第４の内部導体のみがそれぞれ設けられたノイズフィルタ。
【請求項２】
第１の内部導体および第３の内部導体からなる第１のコイルの長さが、第２の内部導体および第４の内部導体からなる第２のコイルの長さと同一になるようにした請求項１記載のノイズフィルタ。
【請求項３】
第３の内部導体の上面と第４の内部導体の下面の少なくともいずれか一方に、非磁性物を設けた請求項１記載のノイズフィルタ。
【請求項４】
フッ素系シランカップリング剤に含浸された磁性体を使用した請求項１記載のノイズフィルタ。
【請求項５】
第１、第２の磁性体シートからなる磁性体と、前記磁性体の両端面に形成された複数の外部電極と、前記第１の磁性体シートに設けられた第１の内部導体および第２の内部導体と、前記第１の磁性体シートの端部に前記外部電極と前記第１、第２の内部導体の各一端とを接続する引出電極とを有し、前記第１の磁性体シートに設けられた前記第１、第２の内部導体はそれぞれ１ターン以上の渦巻き状で前記第１の内部導体の内側に前記第２の内部導体が互いに短絡しないように設けられ、かつ第１の内部導体の他端は第２の内部導体の他端近傍に備えられ、前記第１の内部導体の上面に、前記第２の磁性体シートを介して前記第１の内部導体と接続されたスパイラル状の第３の内部導体のみが、下面には前記第２の内部導体と接続されたスパイラル状の第４の内部導体のみがそれぞれ設けられたノイズフィルタを、無線通信機器における一対の信号ラインに、それぞれ前記第１の導体、第２の導体を接続するようにしたノイズフィルタを用いた電子機器。
【発明の詳細な説明】
【０００１】
【発明の属する技術分野】
本発明は、携帯電話、情報機器等のノイズ対策として使用されるノイズフィルタおよびこのノイズフィルタを用いた電子機器に関するものである。
【０００２】
【従来の技術】
従来のノイズフィルタは特開昭６２−２５７７０９号公報に記載されたものが知られている。
【０００３】
図７は従来のノイズフィルタの一例である積層トランスの平面図である。
【０００４】
図７において、１は複数の磁性体シートである。２は第１のコイルパターン、３は第２のコイルパターンで、それぞれ１個の磁性体シート１の上面に１個ずつ設けられている。
【０００５】
また、各磁性体シート１に設けられた第１、第２のコイルパターン２，３はそれぞれ上面視にて同方向の約０．２５〜０．７５ターンの螺旋状となっており、第１、第２のコイルパターン２，３同士は略平行となるように設けられている。
【０００６】
さらに、複数の磁性体シート１を積層し、図７（ｂ）〜（ｆ）に示すように、各磁性体シート１に設けられた複数の第１のコイルパターン２同士をそれぞれ接続して第１のコイル４が、複数の第２のコイルパターン３同士をそれぞれ接続して第２のコイル５がそれぞれ形成されている。
【０００７】
このとき、各磁性体シート１に形成された第１、第２のコイルパターン２，３の両端部にそれぞれバイア電極６，７が設けられ、バイア電極６同士、バイア電極７同士が、それぞれ磁性体シート１に形成されたバイアホール８を介して電気的に接続されている。
【０００８】
なお、第１、第２のコイル４，５の両端部、すなわち最下層、最上層のコイルパターン２，３には、図７（ｂ），（ｆ）に示すような引出電極９ａ〜９ｄが設けられ、この最下層、最上層のコイルパターン２，３は、引出電極９ａ〜９ｄおよびその付近を除いて約０．５ターンの螺旋状となっている。
【０００９】
そして、図７（ａ），（ｇ）に示すように、第１、第２のコイル４，５の上面、下面に必要に応じて所定枚数の磁性体シート１が備えられている。
【００１０】
これらの第１、第２のコイル４，５、複数の磁性体シート１を積層して一体化することによって従来のノイズフィルタが得られる。
【００１１】
この従来のノイズフィルタは、第１のコイル４、第２コイル５にコモンモードのノイズが印加されたとき、各コイル４，５を流れる電流の方向が上面視にて同方向となるため、インピーダンスが高くなり、これにより、コモンモードのノイズを除去することができる。
【００１２】
【発明が解決しようとする課題】
しかしながら、上記した従来のノイズフィルタは、コモンモードのインピーダンスをより高くできないという課題を有していた。
【００１３】
すなわち、１枚の同じ磁性体シート１に形成される第１のコイルパターン２と第２のコイルパターン３は約０．２５〜０．７５ターンであるため、隣り合い影響を及ぼし合う第１のコイルパターン２と第２のコイルパターン３の長さが短く、これにより、第１のコイル４で発生する磁束と第２のコイル５で発生する磁束とが互いにより効率的に強め合うことができないからである。
【００１４】
本発明は上記従来の課題を解決するもので、コモンモードのインピーダンスをより高くでき、コモンモードのノイズ除去特性の高いノイズフィルタおよびこのノイズフィルタを用いた電子機器を提供することを目的とする。
【００１５】
【課題を解決するための手段】
上記目的を達成するために本発明は、以下の構成を有するものである。
【００１６】
本発明の請求項１記載の発明は、特に、第１の内部導体の上面に、第２の磁性体シートを介して第１の内部導体と接続されたスパイラル状の第３の内部導体のみが、下面には第２の内部導体と接続されたスパイラル状の第４の内部導体のみがそれぞれ設けられるという構成を有しており、これにより、同一の磁性体シートに備えられた影響を及ぼし合う第１の内部導体と第２の内部導体の長さが長くなり、また、このような第１、第２の内部導体が備えられた磁性体シートを複数設けることによって、さらに影響を及ぼし合う第１の内部導体と第２の内部導体の長さが長くなり、これにより、コモンモードのノイズが印加されたとき、インピーダンスをより高くでき、また、ノーマルモードのノイズが印加されても、第３の内部導体、第４の内部導体によってインピーダンスを高くできるという作用効果が得られる。
【００１７】
請求項２記載の発明は、特に、第１の内部導体および第３の内部導体からなる第１のコイルの長さが、第２の内部導体および第４の内部導体からなる第２のコイルの長さと同一になるという構成を有しており、これにより、第１、第２のコイルにおけるインピーダンスを同一にできるという作用効果が得られる。
【００１８】
請求項３記載の発明は、特に、第３の内部導体の上面と第４の内部導体の下面の少なくとも一方に非磁性物を設けるという構成を有しており、これにより、第３の内部導体及び／又は第４の内部導体でそれぞれ発生する磁束を小さくできるため、第３の内部導体及び／又は第４の内部導体におけるノーマルモード、コモンモードのインピーダンスを低くでき、これにより、磁性体シートに設けられた第１の内部導体および第２の内部導体で発生するノーマルモード、コモンモードのインピーダンスを安定させることができるという作用効果を得られる。
【００１９】
請求項４記載の発明は、特に、フッ素系シランカップリング剤に含浸された磁性体を使用するという構成を有しており、これにより、磁性体内に存在する微細な細孔が撥水性のあるフッ素系シランカップリング剤で充填されているため、耐湿性を向上させることができるという作用効果が得られる。
【００２０】
請求項５記載の発明は、特に、無線通信機器における一対の信号ラインに、それぞれ第１の内部導体、第２の内部導体を接続するようにしたノイズフィルタを用いるという構成を有しており、これにより、コモンモード、ノーマルモードのノイズが印加される一対の信号ラインにおいて、コモンモード、ノーマルモードのインピーダンス値をさらに高くできるため、例えば一対の信号ラインとしてのオーディオラインにおいては可聴雑音を低減できるという作用効果が得られる。
【００２１】
【発明の実施の形態】
（実施の形態１）
以下、実施の形態１を用いて本発明の特に請求項４に記載の発明について説明する。
【００２２】
図１（ａ），（ｂ）は本発明の実施の形態１におけるノイズフィルタの平面図、図２は同斜視図である。
【００２３】
図１、図２において、１１ａ，１１ｂは第１の磁性体シートで、それぞれ上面に第１の内部導体１２、第２の内部導体１３が１個ずつ備えられている。また、第１の磁性体シート１１ａ，１１ｂの各端面には引出電極１４ａ〜１４ｄが、中央付近にはバイア電極１５ａ〜１５ｄが設けられている。そしてこの第１の磁性体シート１１ａ，１１ｂはフェライトなどの磁性材料からなる。
【００２４】
第１の内部導体１２、第２の内部導体１３は、それぞれ銀などの導電体からなる１ターン以上の渦巻き状となっており、第１の内部導体１２の内側に第２の内部導体１３が互いに短絡しないように設けられている。すなわち、第１の内部導体１２と第２の内部導体１３とを１つの組とした場合、この１組が渦巻き状になっている。また、渦巻きの方向は、上面視にて第１の内部導体１２、第２の内部導体１３共同じ方向になっている。
【００２５】
第１の内部導体１２、第２の内部導体１３の一端はそれぞれ引出電極１４ａ〜１４ｄと接続され、他端、すなわち渦巻きの中心はそれぞれバイア電極１５ａ〜１５ｄとなっている。
【００２６】
このとき、第１の磁性体シート１１ａに形成された第１の内部導体１２には引出電極１４ａ、第２の内部導体１３には引出電極１４ｃが、他の第１の磁性体シート１１ｂに形成された第１の内部導体１２には引出電極１４ｂ、第２の内部導体１３には引出電極１４ｄがそれぞれ接続されている。なお、引出電極１４ａ〜１４ｄは銀などの導電体からなる。
【００２７】
バイア電極１５ａは第１の磁性体シート１１ａに、バイア電極１５ｂは他の第１の磁性体シート１１ｂにそれぞれ備えられ、バイア電極１５ａと１５ｂは、他の第１の磁性体シート１１ｂに設けられたスルーホール１６ａを介して接続され、これにより、第１の内部導体１２同士が電気的に接続されて第１のコイル１７が構成される。
【００２８】
同様に、バイア電極１５ｃは第１の磁性体シート１１ａに、バイア電極１５ｄは他の第１の磁性体シート１１ｂにそれぞれ備えられ、バイア電極１５ｃと１５ｄは、他の第１の磁性体シート１１ｂに設けられたスルーホール１６ｂを介して接続され、これにより、第１の内部導体１３同士が電気的に接続されて第２のコイル１８が構成される。
【００２９】
なお、バイア電極１５ａはバイア電極１５ｃの近傍、バイア電極１５ｂはバイア電極１５ｄの近傍にそれぞれ互いに短絡しない程度の距離を置いて配置されている。
【００３０】
また、第１の内部導体１２、第２の内部導体１３を備えた他の第１の磁性体シート１１ｂの上面、あるいは必要に応じて第１の磁性体シート１１ａの下面に所定枚数のダミー磁性体シート１９（図示せず）が設けられている。そして、上記した構成になるように積層することによって磁性体２０が形成される。
【００３１】
さらに、磁性体２０の一端面には、外部電極２１ａ，２１ｃが形成され、外部電極２１ａには引出電極１４ａ、外部電極２１ｃには引出電極１４ｃがそれぞれ接続されている。同様に、磁性体２０の他の一端面には、外部電極２１ｂ，２１ｄが形成され、外部電極２１ｂには引出電極１４ｂ、外部電極２１ｄには引出電極１４ｄがそれぞれ接続されている。
【００３２】
以上のように構成された本発明の実施の形態１におけるノイズフィルタについて、以下にその製造方法を図面を参照しながら説明する。
【００３３】
図３（ａ）〜（ｃ）、図４（ａ）〜（ｄ）は本発明の実施の形態１におけるノイズフィルタの製造方法を示す斜視図である。
【００３４】
まず、フェライト粉体の酸化物および樹脂からなる混合物から、方形の第１の磁性体シート１１ａ，１１ｂを作製する。
【００３５】
次に、図３（ａ）に示すように、磁性体シート１１ｂに、レーザ、パンチングなどで穴あけ加工して、第１の内部導体１２、第２の内部導体１３の他端となる渦巻きの中心部付近に第１、第２のバイアホール１６ａ，１６ｂを複数設ける。また、第１のバイアホール１６ａは、１６ｂの近傍に形成する。
【００３６】
次に、図３（ｂ）に示すように、第１、第２のバイアホール１６ａ，１６ｂを有する他の第１の磁性体シート１１ｂ上面に、それぞれ１ターン以上の渦巻き状の第１の内部導体１２、第２の内部導体１３を印刷、めっきなどによって形成する。また、第１の内部導体１２の内側に第２の内部導体１３が互いに短絡しないように形成する。さらに、第１、第２のバイアホール１６ａ，１６ｂと接続されるように第１の内部導体１２、第２の内部導体１３の他端にバイア電極１５ｂ，１５ｄ（図示せず）をそれぞれ形成する。
【００３７】
なお、第１の内部導体１２、第２の内部導体１３の一端はそれぞれ引出電極１４ｂ〜１４ｄ（図示せず）と接続されている。
【００３８】
また、同時に第１、第２のバイアホール１６ａ，１６ｂに銀などの導電材料を充填する。
【００３９】
同様にして、第１の磁性体シート１１ａ上面に、それぞれ１ターン以上の渦巻き状の第１の内部導体１２、第２の内部導体１３を形成する。
【００４０】
次に、第１の磁性体シート１１ａの上に他の第１の磁性体シート１１ｂを積層して、図３（ｃ）に示すような配置関係にする。すなわち、下からダミー磁性体シート１９、第１の内部導体１２、第２の内部導体１３が形成された第１の磁性体シート１１ａ、第１の内部導体１２、第２の内部導体１３が形成された他の第１の磁性体シート１１ｂ、ダミー磁性体シート１９の順に積層する。なお、ダミー磁性体シート１９は、他の第１の磁性体シート１１ｂに形成された第１の内部導体１２、第２の内部導体１３の上面、および必要に応じて第１の磁性体シート１１ａの下面に所定枚数形成する。
【００４１】
このとき、第１、第２のバイアホール１６ａ，１６ｂを介して第１の内部導体１２同士、第２の内部導体１３同士をそれぞれ電気的に接続する。
【００４２】
なお、各内部導体１２，１３、引出電極１４ａ〜１４ｄ（図示せず）は、印刷、めっき、蒸着、スパッタなどの方法で形成する。
【００４３】
次に、図４（ａ）に示すように、１つのノイズフィルタに第１の内部導体１２、第２の内部導体１３がそれぞれ１つ内設されるようにダイシングなどで切断して、図４（ｂ）に示すような１つの積層物２２を得る。このとき、積層物２２の両端面から引出電極１４ａと１４ｃが、他の端面には引出電極１４ｂと１４ｄがそれぞれ露出している。
【００４４】
次に、この積層物２２を所定の温度、時間焼成して磁性体２０を形成する。
【００４５】
次に、図４（ｃ）に示すように、バレルなどによって磁性体２０を面取りする。
【００４６】
最後に、図４（ｄ）に示すように、磁性体２０の両端面に露出した引出電極１４ａ〜１４ｄと接続するように銀などの導電体からなる外部電極２１ａ〜２１ｄをそれぞれ形成し、本発明の一実施の形態におけるノイズフィルタを製造する。
【００４７】
なお、外部電極２１ａ〜２１ｄは銀などの導電体の上面に、めっきによってニッケルめっきを、ニッケルめっきの表面にめっきによってすずやはんだの低融点金属めっきをそれぞれ設けてもよい。
【００４８】
また、銀などで導電体を形成した後、かつニッケルめっきを形成する前に真空中で磁性体２０をフッ素系シランカップリング剤に含浸してもよい。このようにすることによって、撥水性のあるフッ素系シランカップリング剤を磁性体２０内に存在する微細な細孔に充填させることができるため、ノイズフィルタ自身の耐湿性を向上させることができる。
【００４９】
上記したように、本発明の実施の形態１におけるノイズフィルタは、第１の磁性体シート１１ａに設けられた第１、第２の内部導体１２，１３はそれぞれ１ターン以上の渦巻き状で第１の内部導体１２の内側に第２の内部導体１３が互いに短絡しないように設けられ、かつ第１の内部導体１２の他端は第２の内部導体１３の他端近傍に備えられ、さらに第１、第２の内部導体１２，１３の各他端は他の第１の磁性体シート１１ｂに設けられた第１、第２の内部導体１２，１３の各他端と接続するように構成されているため、同一の第１の磁性体シート１１ａ，１１ｂに備えられた影響を及ぼし合う第１の内部導体１２と第２の内部導体１３の長さが長くなり、また、このような第１、第２の内部導体１２，１３が備えられた第１の磁性体シート１１ａ，１１ｂを複数設けることによって、さらに影響を及ぼし合う第１の内部導体１２と第２の内部導体１３の長さが長くなり、これにより、コモンモードのノイズが印加されたとき、インピーダンスをより高くできる。この結果、コモンモードのノイズ除去特性の高いノイズフィルタが得られるという効果が得られる。
【００５０】
すなわち、第１のコイル１７と第２のコイル１８とに同方向、つまり磁性体２０の上面視にて時計回り、あるいは反時計回りの電流が流れた場合、第１の内部導体１２および第２の内部導体１３でそれぞれ発生する磁束を互いに強め合うことができるため、コモンモードのインピーダンス値を図７で示した従来のノイズフィルタより高くできる。
【００５１】
従って、第１のコイル１７と第２のコイル１８とに同方向の電流が流れた場合、第１の内部導体１２と第２の内部導体１３のインピーダンスが高くなり、これらの内部導体がコモンモードのノイズを低減する。
【００５２】
また、第１の内部導体１２と第２の内部導体１３とを１ターン以上の渦巻き状としたため、螺旋状、蛇行状などの他の形状より、隣接する第１の内部導体１２と第２の内部導体１３の長さを長くでき、これにより、コモンモードのインピーダンスを高くすることができる。
【００５３】
さらに、第１の内部導体１２と第２の内部導体１３とを、互いに短絡しない程度にその間の距離を最短にすれば、第１の内部導体１２と第２の内部導体１３とでそれぞれ発生する磁界が互いにより強め合い、これにより、コモンモードのインピーダンスをより高くすることができる。
【００５４】
なお、第１の内部導体１２と第２の内部導体１３とが設けられた第１の磁性体シートは、磁性体シート１１ａ，１１ｂのみの２枚ではなく、３枚以上あれば、第１の内部導体１２と第２の内部導体１３とでそれぞれ発生する磁界が互いにさらに強め合い、これにより、コモンモードのインピーダンスをさらに高くすることができる。
【００５５】
一方、渦巻き状の第１の内部導体１２の内側、または外側に第２の内部導体１３が位置しないように、つまり、第１の内部導体１２と第２の内部導体１３とをオーバーラップすることなく別個に配置すれば、渦巻き状であっても、第１の内部導体１２と第２の内部導体１３との間の距離が長くなり、それぞれで発生する磁界が互いに強め合うことがなくなり、コモンモードのインピータンスを高くすることができない。
【００５６】
（実施の形態２）
以下、実施の形態２を用いて本発明の特に請求項１〜３，５に記載の発明について説明する。
【００５７】
図５（ａ）〜（ｃ）は本発明の実施の形態２におけるノイズフィルタの平面図である。
【００５８】
なお、実施の形態１と同様の構成を有するものについては同一符号を付し、その説明を省略する。
【００５９】
図５（ａ）〜（ｃ）において、実施の形態１と異なる点は、第１の内部導体１２および第２の内部導体１３が形成された第１の磁性体シート１１ｂあるいは１１ａの上面に、第１の内部導体１２と接続された第３の内部導体２４のみを有する第２の磁性体シート２５が、下面には第２の内部導体１３と接続された第４の内部導体２６のみを有する第３の磁性体シート２７がそれぞれ設けられている点である。
【００６０】
なお、第４の内部導体２６は第３の磁性体シート２７ではなく、ダミー磁性体シート１９に直接設けてもよい。
【００６１】
このようにすれば、第２の磁性体シート２５に形成された第３の内部導体２４、および第３の磁性体シート２７に形成された第４の内部導体２６は、第１の内部導体１２および第２の内部導体１３の両方が形成された第１の磁性体シート１１ｂを介して距離が離れるため、第１のコイル１７と第２のコイル１８とに逆方向の電流が流れた場合でもそれぞれ発生する磁束を互いに弱め合うことがなく、これにより、ノーマルモードのインピーダンスを高くできるという効果が得られる。
【００６２】
また、第１のコイル１７と第２のコイル１８とに同方向の電流が流れた場合は、実施の形態１で説明したように、第１の磁性体シート１１ｂに設けられた内部導体１２および第２の内部導体１３によってコモンモードのインピーダンスを高くできる。
【００６３】
すなわち、上記した図５の構成にすれば、コモンモード、ノーマルモード両方のインピーダンスを高くできる。
【００６４】
なお、このとき、第１の内部導体１２と第３の内部導体２４とで第１のコイル１７が構成され、第２の内部導体１３と第４の内部導体２６とで第２のコイル１８が構成される。
【００６５】
このとき、第３の内部導体２４、第４の内部導体２６は螺旋状、渦巻き状などのスパイラル状となっている。これにより、直線状などに比べて発生する磁束が強くなるため、ノーマルモードのインピーダンスを高くすることができる。
【００６６】
また、第２の磁性体シート２５に形成された第３の内部導体２４、第３の磁性体シート２７に形成された第４の内部導体２６の長さをそれぞれ所定の長さに調整すれば、第１のコイル１７、第２のコイル１８のそれぞれの全長、つまり引出電極間の長さをそれぞれ同一にすることができ、これにより、第１のコイル１７、第２のコイル１８の抵抗値、インピーダンス値を同一にすることができる。
【００６７】
さらに、上記したように第１のコイル１７、第２のコイル１８の抵抗値、インピーダンスを同一にするために、第３の内部導体２４、第４の内部導体２６を設ける場合、第３の内部導体２４の上面と第４の内部導体２６の下面の少なくとも一方に非磁性物を設ければ、第３の内部導体２４及び／又は第４の内部導体２６でそれぞれ発生する磁束を小さくできるため、第３の内部導体２４及び／又は第４の内部導体２６におけるノーマルモード、コモンモードのインピーダンスを低くでき、これにより、第１の磁性体シート１１ｂに設けられた第１の内部導体１２および第２の内部導体１３で発生するノーマルモード、コモンモードのインピーダンスを安定させることができる。
【００６８】
非磁性物としては、第３の内部導体２４上面及び／又は第４の内部導体２６下面に、何も設けないようにしてもよいが、ガラス、樹脂などを設ければ、第３の内部導体２４、第４の内部導体２６の絶縁性、耐湿性の向上を図ることができる。
【００６９】
なお、第１の磁性体シート１１ｂに形成された第１の内部導体１２および第２の内部導体１３の下面に第３の内部導体２４のみを有する第２の磁性体シート２５を、上面に第４の内部導体２６のみを有する第３の磁性体シート２７をそれぞれ設けてもよい。
【００７０】
一方、図７に示した従来のノイズフィルタは第１のコイルパターン２が第２のコイルパターン３の外側に常に形成されるため、第１のコイル４、第２のコイル５の抵抗値、インピーダンスを同一にすることが不可能であった。
【００７１】
なお、第１の内部導体１２と第２の内部導体１３の両方が設けられた第１の磁性体シートは、１１ｂのみ１枚ではなく、２枚以上であっても構わない。
【００７２】
以下、本発明の実施の形態１および２におけるノイズフィルタを、電子機器の一例として携帯電話などの無線通信機器における一対の信号ラインに使用する方法について説明する。
【００７３】
例えば携帯電話のヘッドセットなどの通信線の信号ラインは通常一対のケーブル、つまり信号ラインで構成されており、携帯電話の搬送波などの高周波信号が輻射ノイズとして前記ケーブルに対して同時に同位相で重畳しやすくなるため、この信号ラインにはコモンモードの高周波ノイズが入力される。一方、携帯電話の音声信号や制御信号はノーマルモードの信号となる。
【００７４】
ノーマルモードの信号がコモンモードの高周波ノイズによって障害を受けるのは、回路中の非線型素子と静電容量により、信号の中にあった低い周波数成分が検出されて、通常のノーマルモードの信号に重畳されるためである。
【００７５】
ここで、本発明の実施の形態１および２におけるノイズフィルタの使われ方の一例を図６（ａ）に示す。このとき、本発明のノイズフィルタ３３は、ヘッドホン３５に接続されている携帯電話のヘッドセットの２本の信号ライン３４に、図１に示した両端部の外部電極２１ａ〜２１ｄを介して接続されている。すなわち、第１のコイル１７、第２のコイル１８にそれぞれ信号ライン３４が接続されている。
【００７６】
このとき、図６（ｂ）に示すような、ＴＤＭＡ方式の携帯電話の送受信回路における９００ＭＨｚの搬送波３１（ＴＤＭＡキャリア）が、２１７Ｈｚのバースト周波数３２で送受信されている場合、２１７Ｈｚが検波され、ノーマルモードの音声信号に重畳されて可聴雑音が聞こえるようになる。従って、ノーマルモード、誘起されるコモンモードの電流を抑制できれば、音声出力などのノイズが低減できる。
【００７７】
図６（ｃ）は本発明の実施の形態１および２におけるノイズフィルタの減衰特性、つまり周波数と減衰量との関係を示す図である。
【００７８】
図６（ｃ）から明らかなように、携帯電話の搬送波９００ＭＨｚでもコモンモード、ノーマルモードのノイズが減衰されている。従って、搬送波９００ＭＨｚとともに検波されたバースト周波数３２の２１７Ｈｚの信号を低減でき、可聴雑音が聞こえなくなる。
【００７９】
このように、本発明のノイズフィルタを携帯電話などの無線通信機器における一対の信号ラインに、それぞれ第１のコイル１７、第２のコイル１８に接続させれば、コモンモードのノイズが印加される一対の信号ラインにおいてコモンモード、ノーマルモードの両方のインピーダンスを高くでき信号を減衰できるため、例えば一対の信号ラインとしてのオーディオラインにおいては可聴雑音を低減できるという効果が得られる。
【００８０】
【発明の効果】
以上のように本発明のノイズフィルタは、第１、第２の磁性体シートからなる磁性体と、前記磁性体の両端面に形成された複数の外部電極と、前記第１の磁性体シートに設けられた第１の内部導体および第２の内部導体と、前記第１の磁性体シートの端部に前記外部電極と前記第１、第２の内部導体の各一端とを接続する引出電極とを有し、前記第１の磁性体シートに設けられた前記第１、第２の内部導体はそれぞれ１ターン以上の渦巻き状で前記第１の内部導体の内側に前記第２の内部導体が互いに短絡しないように設けられ、かつ第１の内部導体の他端は第２の内部導体の他端近傍に備えられ、前記第１の内部導体の上面に、前記第２の磁性体シートを介して前記第１の内部導体と接続されたスパイラル状の第３の内部導体のみが、下面には前記第２の内部導体と接続されたスパイラル状の第４の内部導体のみがそれぞれ設けられるように構成されており、これにより、同一の磁性体シートに備えられた影響を及ぼし合う第１の内部導体と第２の内部導体の長さが長くなり、また、このような第１、第２の内部導体が備えられた磁性体シートを複数設けることによって、さらに影響を及ぼし合う第１の内部導体と第２の内部導体の長さが長くなり、これにより、コモンモードのノイズが印加されたとき、インピーダンスをより高くできる。これに加え、ノーマルモードのノイズが印加されても、第３の内部導体、第４の内部導体によってインピーダンスを高くできるという効果を奏するものである。
【図面の簡単な説明】
【図１】  （ａ），（ｂ）本発明の実施の形態１におけるノイズフィルタの平面図
【図２】  同斜視図
【図３】  （ａ）〜（ｃ）同製造方法を示す斜視図
【図４】  （ａ）〜（ｄ）同製造方法を示す斜視図
【図５】  （ａ）〜（ｃ）本発明の実施の形態２におけるノイズフィルタの平面図
【図６】  （ａ）本発明の実施の形態１および２におけるノイズフィルタの使われ方の一例を示す図
（ｂ）携帯電話の一対の信号ラインにおける搬送波の波形を示す図
（ｃ）本発明の実施の形態１および２におけるノイズフィルタが携帯電話の一対の信号ラインに使用されたときの周波数と減衰量との関係を示す図
【図７】  従来の積層トランスの平面図
【符号の説明】
１１ａ，１１ｂ  第１の磁性体シート
１２  第１の内部導体
１３  第２の内部導体
１４ａ〜１４ｄ  引出電極
１７  第１のコイル
１８  第２のコイル
２０  磁性体
２１ａ〜２１ｄ  外部電極
２４  第３の内部導体
２５  第２の磁性体シート
２６  第４の内部導体
【図１】
0004682425.tif 000002
【図２】
0004682425.tif 000003
【図３】
0004682425.tif 000004
【図４】
0004682425.tif 000005
【図５】
0004682425.tif 000006
【図６】
0004682425.tif 000007
【図７】
0004682425.tif 000008